(57)【要約】【課題】  従来のこのような情報通信では、光ファイバーから光ビームを取り出すことにより、原理的に盗聴することができ、又、光ファイバーを通過する光ビームを暗号化しても、盗聴を防ぐことができないという問題があった。【解決手段】  光源から照射された光ビームを第１のビームスプリッターで２つに分け、一方の光ビームに光スイッチを装着し、この光スイッチを制御する信号を送信信号とし、又、２つに分けた光ビーム第２のビームスプリッターで合わせ、合わせた光ビームを第１、第２の検出器で検出して、それぞれの干渉を検出し、検出した信号で受信器を動作して、情報を送受信する。【選択図】図１
2005175657.tif 000002
【特許請求の範囲】
【請求項１】
光源より照射されたビーム光線を第１のビームスプリッターで２つの光ビームに分け、該第１のビームスプリッターにより分けられた一方の光ビームを光スイッチで遮断、通過するように送信機からの送信信号でコントロールし、遮断、通過するようにした一方の光線と前記分けられた他方の光ビームとを第２のビームスプリッターで合わせ、さらに、第１、第２の検出器でそれぞれの干渉を検出し、検出した信号で受信器を動作することにより情報を送受信することを特徴とする干渉制御による情報通信方法。
【請求項２】
光ビームを照射する光源と、該光源からの光ビームを２つに分ける第１のビームスプリッターと、該第１のビームスプリッターにより分けられた一方の光ビームを遮断、通過するように装着された光スイッチと、該光スイッチを制御する送信機と、前記光スイッチを通過する一方の光ビームと前記分けられた他方の光ビームとを合わせる第２のビームスプリッターと、該第２のビームスプリッターでの干渉をそれぞれ検出する第１、第２の検出器と、該第１、第２の検出器の出力を受信する受信器とからなり、前記光スイッチをコントロールする送信機からのコントロール信号を送信信号とし、前記第１、第２の検出器によって検出された干渉測定信号を受信機で受信信号として受信することを特徴とする干渉制御による情報通信装置。
【請求項３】
前記光ビームを光ファイバで搬送することを特徴とする請求項２記載の干渉制御による情報通信装置。
【発明の詳細な説明】
【技術分野】
【０００１】
本発明は、盗聴が不可能な干渉制御による情報通信方法及びその装置に係り、特に、光の干渉をコントロールし、このコントロール信号を送信信号とするようにした干渉制御による情報通信方法及びその装置に関するものである。
【背景技術】
【０００２】
従来、情報通信システムとしては、光ファイバーを通して、光ビームを変調するようにした光変調通信が提案されている。
【０００３】
しかしながら、従来のこのような情報通信では、光ファイバーから光ビームを取り出すことにより、原理的に盗聴することができ、又、光ファイバーを通過する光ビームを暗号化しても、盗聴を防ぐことができないという問題があった。
【発明の開示】
【発明が解決しようとする課題】
【０００４】
解決しようとする問題点は、従来の通信方法では、原理的に盗聴することができる点である。
【課題を解決するための手段】
【０００５】
本発明では、光源から照射された光ビームを第１のビームスプリッターで２つに分け、一方の光ビームに光スイッチを装着し、この光スイッチを制御する信号を送信信号とし、又、２つに分けた光ビーム第２のビームスプリッターで合わせ、合わせた光ビームを第１、第２の検出器で検出して、それぞれの干渉を検出し、検出した信号で受信器を動作して、情報を送受信するようにした干渉制御による情報通信方法及びその装置である。
【発明の効果】
【０００６】
本発明の干渉制御による情報通信方法及び装置では、光ビームを取り出した場合は、受信機の検出器で干渉が崩れてしまい、受信信号を受信することができないので、盗聴がされていることをすぐに確認することができ、一方、盗聴者も信号を復元できないので、盗聴されることがないという利点がある。
【実施例】
【０００７】
図１は本発明の実施例の干渉制御による情報通信方法及び装置を説明する構成図で、光ビームを照射する光源１から照射された光ビーム２は、ハーフミラーからなる第１のビームスプリッター３で２つの光ビーム２ａ、２ｂに分けられ、第１の光ビーム２ａは、遮断したり、通過させたりすることができるようにオン・オフされる光スイッチ４に入力され、この光スイッチ４をオン・オフし、送信する送信機５が光スイッチ４に接続され、光スイッチ４を通過した光ビーム２ａは第１のミラー６で反射されて第２のビームスプリッター７に送られ、一方、第１のビームスプリッター３で分けられた第２の光ビーム２ｂは、第２のミラー１１で反射されて第２のビームスプリッター７に送られ、この第２のビームスプリッター７で第１の光ビーム２ａとの干渉が取られ第１の検出器８及び第２の検出器９で検出され、第１の検出器８及び第２の検出器９で検出された信号は受信機１０に入力される。
【０００８】
このように構成した本実施例の干渉制御による情報通信方法及び装置では、光源１から第１のビームスプリッター２で分けられた第２の光ビーム２ｂが第２のミラー１１で反射されて第２のビームスプリッター７に送られると、第１の光ビーム２ａがない場合は、干渉がないので、第２のビームスプリッター７で第２の光ビーム２ｂは５０％の確率で、反射及び透過されて、第１の検出器８及び第２の検出器９に入力され、そこで、第１の光ビーム２ａが第２のビームスプリッター７に入力されると、第２の光ビーム２ｂとの干渉が生じ、第２の検出器９に入力されている光ビームが消され、第１の検出器８にのみ光ビームが入力されることになるか、あるいは、第２の検出器９のみで検出されようになるが、これは、２つの光ビーム２ａ、２ｂの光路長を調整することによって設定される。
【０００９】
従って、第１の光ビーム２ａを光スイッチ４でオン・オフすることにより、第１、第２の検出器８、９に入力される光ビームがオン・オフされるため、このオン・オフを受信機１０で受信することにより、送信機５からの送信信号は受信機１０で受信され、ここで、第１の光ビーム２ａを取り出した場合は、干渉が崩れるため、第１、第２の検出器８、９で常に検出されるようになるため、盗聴が行われていることがすぐに発見でき、又、盗聴者は入手した信号を復元することができないため、盗聴をすることができない。
【００１０】
図２は本発明の実施例の干渉制御による情報通信方法及び装置を説明する構成図で、１は光源、２は光ビーム、２ａは第１の光ビーム、２ｂは第２の光ビーム、３は第１のビームスプリッター、４は光スイッチ、５は送信機、６は第１のミラー、７は第２のビームスプリッター、８は第１の検出器、９は第２の検出器、１０は受信機、１１は第２のミラーでこれらの構成は上記実施例と同じであるので、説明は省略するが、本実施例では、又、第１のビームスプリッター３で分けられた第１の光ビーム２ａは光スイッチ４で通過、遮断されて第２のビームスプリッター７に入力され、第１のビームスプリッター３で分けられた第２の光ビーム２ｂは第１のミラー６で反射されて９０度の方向に曲げられ、さらに、第２のミラー１１で反射されて９０度の方向に曲げられることにより、第１の光ビーム２ａ及び第２の光ビーム２ｂの光路長が異なっており、第２の光ビーム２ｂが第２のビームスプリッター７で合わされると、第１の光ビーム２ａとの干渉が生じ、第２の検出器９に入力されている光ビームが消され、第１の検出器８にのみ光ビームが入力されることになるか、あるいは、第２の検出器９のみで検出されるが、これは、２つの光ビームの光路長を調整することによって設定される。
【００１１】
本実施例でも、上記実施例と同様に第１、第２の光ビームの干渉が取られ、第１、第２の検出器８、９の出力をみることで、情報通信が可能になり、又、本実施例のように、光路長が異なった場合は、光の周波数（波長）を安定化させる必要があり、安定度の高いレーザを用いる。
【産業上の利用可能性】
【００１２】
以上の説明では、光路を空気中で行うようにしたが、この光路を光ファイバとすれば、産業上の利用が容易になり、光ファイバを用いれば、２つのミラー６、１１を使用する必要はない。又、光ファイバは温度による伸縮で光路長が変わり、干渉パターンが変化するが、光ファイバの途中に位相シフト手段を設けることにより、補償することができる。
【図面の簡単な説明】
【００１３】
【図１】本発明の実施例の干渉制御による情報通信方法及び装置を説明する構成図である。
【図２】本発明の他の実施例の干渉制御による情報通信方法及び装置を説明する構成図である。
【符号の説明】
【００１４】
１                光源
２ａ              第１の光ビーム
２ｂ              第２の光ビーム
３                第１のビームスプリッター
４                光スイッチ
５                送信機
６                第１のミラー
７                第２のビームスプリッター
８                第１の検出器
９                第２の検出器
１０              受信機
１１              第２のミラー
【図１】
2005175657.tif 000003
【図２】
2005175657.tif 000004